(57)【要約】【課題】新規予約の登録時に予約の重複が発生した場合にも、どの既存予約を削除したら新規予約を登録できるかを煩雑な作業なしにユーザに示すことができ、さらに、重複している個々の予約について削除候補を選択可能とさせることができるようにする。【解決手段】何れのチューナを割り当てるとしても登録済みの予約との間で重複が発生するような、実行不能な重複の発生を予約制御部４が検出すると、新規予約で指定された時間に対して、予約情報格納部７に格納された登録済みの既存予約の中から、重複する既存予約をリスト化する。そして入出力制御部３の制御により、画面生成部２が図５に例示するような重複予約のリスト画面を生成し、表示画面に表示させる。【選択図】図２
2009088705.tif 000002
【特許請求の範囲】
【請求項１】
複数の予約を受け付けることができ、該複数の予約に実行不能な重複がある場合、該重複している個々の予約についてユーザに削除候補を選択可能とさせる選択画面を生成することを特徴とする情報処理装置。
【請求項２】
受け付けた新規予約と登録済みの既存予約との間に実行不能な重複があるか否かを検出する重複予約検出手段と、
前記重複予約検出手段により実行不能な重複が検出された場合に、該重複している個々の予約についてユーザに削除候補を選択可能とさせる選択画面を生成する選択画面生成手段と、を備えたことを特徴とする情報処理装置。
【請求項３】
選択入力を受ける選択入力手段を備え、
前記重複予約検出手段は、前記選択入力手段により削除候補が選択入力される毎に該削除候補予約が削除された場合の登録済み既存予約と新規予約との間に実行不能な重複があるか否かを検出し、
前記選択画面生成手段は、前記重複予約検出手段による検出結果に基づいて、前記選択入力手段により削除候補が選択入力される毎に選択画面を生成することを特徴とする請求項２記載の情報処理装置。
【請求項４】
予約を受け付けて管理する予約制御手段を備え、
前記重複予約検出手段は、前記予約制御手段により管理されている予約について実行不能な重複があるか否かを検出することを特徴とする請求項２または３記載の情報処理装置。
【請求項５】
前記予約制御手段は、前記選択入力手段により削除候補が選択入力されて前記重複予約検出手段により実行不能な重複がないと判定された場合に、該削除候補の削除と共に新規予約を受け付けることを特徴とする請求項４記載の情報処理装置。
【請求項６】
複数の情報処理手段を備え、
前記重複予約検出手段は、受け付けた新規予約と登録済みの既存予約との間に、該複数の情報処理手段による情報処理能力で処理不能な重複を検出した場合に、実行不能な重複があると判定することを特徴とする請求項２から５の何れか１項に記載の情報処理装置。
【請求項７】
受け付けた新規予約と登録済みの既存予約との間に実行不能な重複があるか否かを検出する重複予約検出処理と、
前記重複予約検出処理により実行不能な重複が検出された場合に、該重複している個々の予約についてユーザに削除候補を選択可能とさせる選択画面を生成する選択画面生成処理と、をコンピュータに実行させることを特徴とするプログラム。
【発明の詳細な説明】
【技術分野】
【０００１】
本発明は、所定の処理を行う予約をすることができる予約機能を備えた情報処理装置およびプログラムに関する。
【背景技術】
【０００２】
本発明の関連技術として、複数のチューナを備え、それぞれのチューナについて録画予約を行うことができる録画装置がある。
こうした録画装置では、予約時に録画するチューナを選択させて予約を受け付け、該当するチューナ内で予約の重複が発生した場合、重複している旨の表示を行い、予約削除を受け付ける。こうして予約を削除した後もさらに予約の重複がある場合、さらに重複確認メッセージの表示を行っている。
【０００３】
こうした予約受付動作について、ダブルチューナの録画装置を例として説明する。
まず、既存予約が図９に示すように設定されているとする。この既存予約が設定された状態で、図１０に示すように、新規予約「開始時間１２：１５、終了時間１４：００」をチューナ＃１でユーザが予約設定したとする。
【０００４】
チューナ＃１における予約が重複するため、録画装置は、新規予約を投入するが他に重複予約があるため一方しか録画できない旨の警告表示を行い、新規予約を受け付ける。
ユーザは予約の重複を解消するためには、予約リストに表示画面を遷移させ、個別に録画予約の削除を行う。
【０００５】
また、本発明に関連する技術として、複数の録画系統を備え、録画系統を自動選択し、録画予約に重複がある場合、録画系統のそれぞれにおいて時間帯が重複する録画予約内容を表示するものがある（例えば、特許文献１参照）。このものでは、新規の予約登録をやめるか、録画系統Ａの既登録の録画予約を削除して新規の予約登録を行うか、あるいは録画系統Ｂの既登録の録画予約を削除して新規の予約登録を行うか、の選択をユーザに求める画面表示を行う。
【特許文献１】特開２００５−７９９５５号公報
【発明の開示】
【発明が解決しようとする課題】
【０００６】
しかしながら、上述のように録画するチューナが予約時に確定している録画装置では、装置が備えるチューナ数が多数になると、予約が重複する確率が減る反面、新規予約の登録時に予約の重複が発生した場合、既存予約の削除を行う作業が煩雑になってしまう。
すなわち、ユーザがどの既存予約を削除したら効率よく新規予約を登録できるかが分かりにくいという問題があった。
【０００７】
また、上述した特許文献１のものは、自動選択される各録画系統について、既登録の録画予約を削除して新規の予約登録を行うかを選択させるものであり、予約の重複が発生した場合に、重複している個々の予約について削除候補を選択可能とさせることについてまで考慮されたものではなかった。
【０００８】
本発明はこのような状況に鑑みてなされたものであり、新規予約の登録時に予約の重複が発生した場合にも、どの既存予約を削除したら新規予約を登録できるかを煩雑な作業なしにユーザに示すことができ、さらに、重複している個々の予約について削除候補を選択可能とさせることができる情報処理装置およびプログラムを提供することを目的とする。
【課題を解決するための手段】
【０００９】
かかる目的を達成するために、本発明に係る情報処理装置は、複数の予約を受け付けることができ、該複数の予約に実行不能な重複がある場合、該重複している個々の予約についてユーザに削除候補を選択可能とさせる選択画面を生成することを特徴とする。
【００１０】
また、本発明に係るプログラムは、受け付けた新規予約と登録済みの既存予約との間に実行不能な重複があるか否かを検出する重複予約検出処理と、重複予約検出処理により実行不能な重複が検出された場合に、該重複している個々の予約についてユーザに削除候補を選択可能とさせる選択画面を生成する選択画面生成処理と、をコンピュータに実行させることを特徴とする。
【発明の効果】
【００１１】
以上のように、本発明によれば、新規予約の登録時に予約の重複が発生した場合にも、どの既存予約を削除したら新規予約を登録できるかを煩雑な作業なしにユーザに示すことができる。
さらに、重複している個々の予約について削除候補を選択可能とさせることができる。
【発明を実施するための最良の形態】
【００１２】
次に、本発明に係る情報処理装置およびプログラムを、録画装置に適用した一実施形態について、図面を用いて詳細に説明する。
【００１３】
本実施形態としての録画装置は、複数の予約を受け付ける機能を備え、その複数の予約に実行不能な重複がある場合、その重複している個々の予約についてユーザに削除候補を選択可能とさせる選択画面を生成し、効率的な削除候補ができるユーザ・インタフェース画面を提供できるものである。
【００１４】
本実施形態としての録画装置は、図１に示すように、ユーザからの操作入力を受ける入力部１と、表示画面で表示するための表示用データを生成して出力する画面生成部２とを備え、入出力制御部３がその制御を行う。
また、本実施形態としての録画装置は、複数のチューナ（情報処理手段）６と、チューナ６の制御を行うチューナ制御部５と、予約情報の制御を行う予約制御部（重複予約検出手段）４と、登録された予約情報を格納する予約情報格納部７とを備えて構成される。
【００１５】
予約制御部４は、入力部（選択入力手段）１により予約登録を受け付け、ユーザによる予約登録に必要な画面表示を画面生成部２により行わせる。また、予約情報格納部７に格納された予約情報を管理し、チューナ制御部５の制御によりチューナ６（＃１）〜（＃ｎ）を用いて、登録された録画予約を実行させる。
このことにより、予約された時間に、チューナ６で受信可能な放送コンテンツの録画を行うことができるようになっている。
【００１６】
次に、本実施形態による動作について説明する。
本実施形態では、ユーザが新規予約を登録しようとした際に、同じ時間帯にチューナ数より多くの予約となってしまうなど、予約に実行不能な重複が発生してしまう場合、重複している既存予約を一覧表示し、どの予約を削除するかをユーザが簡単かつ効率的に選択できるようにしている。
【００１７】
また、ユーザが１つの既存予約を削除候補として仮選択した際、削除候補として仮選択された予約番組が使用することになっていたチューナによる他の予約番組以外を選択対象外とする。すなわち、削除の効果がない予約番組を選択対象に含めてしまうことなく、削除の効果がある予約番組だけを明示し、ユーザによる削除候補の選択を簡単かつ効率的にできるようにする。
【００１８】
以下に、４チューナ内蔵の録画装置を例として、本実施形態の動作を図２のフローチャートを参照して説明する。
まず、図３に示すように各チューナに既存予約が設定されていることとする。ここで、図４に示すように、ユーザが既存予約に対して「開始時間１２：１５、終了時間１４：００」の新規予約を行うとする（ステップＳ１）。
【００１９】
新規予約の設定入力を入力部１が受けると、予約制御部４は、予約情報格納部７に格納された登録済みの既存予約情報を参照し、入力された新規予約を実行可能なチューナ６の空きがあるか否かを確認する（ステップＳ２）。
【００２０】
図４の例では、何れのチューナを割り当てるとしても登録済みの予約との間で重複が発生する（ステップＳ２；Ｎｏ）。こうした実行不能な重複の発生を予約制御部４が検出すると、新規予約で指定された時間に対して、予約情報格納部７に格納された登録済みの既存予約の中から、重複する既存予約をリスト化する（ステップＳ３）。
そして入出力制御部３の制御により、画面生成部２が図５に例示するような重複予約のリスト画面を生成し、表示画面に表示させる（ステップＳ４）。図５の例では、全てのチューナでの予約が表示されている。
【００２１】
この重複予約リスト表示に基づいて、ユーザが入力部１から削除候補を１つ選択入力すると（ステップＳ５）、その削除候補が図６に例示されるように表示される（選択画面生成手段）。図６の例では、番組Ｈ「開始時間１２：００、終了時間１３：００」が削除候補として選択されている。
【００２２】
こうして削除候補が選択入力されると、予約制御部４は、予約情報格納部７に格納された登録済みの既存予約情報を参照し、削除候補の予約番組が削除された場合に、入力された新規予約を実行可能なチューナ６の空きがあるか否かを確認する（ステップＳ６）。
【００２３】
図４の例では、図６の例のように削除候補が選択されてもまだ新規予約と登録済みの予約との間で重複が発生する（ステップＳ６；Ｎｏ）。このように実行不能な重複がまだ存在すると予約制御部４が検出すると、ステップＳ５で削除候補として選択入力された予約が使用するチューナと同じチューナを使用する予約をリスト化する（ステップＳ７）。
【００２４】
そして入出力制御部３の制御により、画面生成部２が図７に例示するように、図５の画面における通知された予約番組以外をグレー表示としてリスト画面を生成し（選択画面生成手段）、表示画面に表示させる（ステップＳ８）。
こうして、次の削除候補の選択対象以外をグレーアウトし、ユーザが次に削除候補として選択すべき対象を分かりやすく表示する。
【００２５】
この削除候補の選択対象以外がグレーにマスクされた重複予約リスト表示に基づいて、ユーザが入力部１から次の削除候補を１つ選択入力すると（ステップＳ９）、予約制御部４は、予約情報格納部７に格納された登録済みの既存予約情報を参照し、削除候補の予約番組が削除された場合に、入力された新規予約を実行可能なチューナ６の空きがあるか否かを確認する（ステップＳ６）。
図８の例では、番組Ｃ「開始時間１３：００、終了時間１４：００」が削除候補として選択されている。
【００２６】
図４の例では、図８の例のように削除候補が選択されると、新規予約を実行不能な重複がなくなるため、予約が可能になる（ステップＳ６；Ｙｅｓ）。このため、画面生成部２は、図８に例示するように、重複リスト画面における予約ボタンを有効にした画面を生成して表示画面に表示させる（ステップＳ１０）。
ユーザが図８に例示される画面から入力部１により予約ボタンをクリックして選択入力すると、予約完了となる。
【００２７】
以上のように、多数のチューナを備えた録画装置では、ユーザが新規予約を設定しようとした時、既存予約番組の多くが実行不能な重複として該当する場合がある。
本実施形態によれば、そうした重複が発生した場合、ユーザが削除候補として選択することで新規予約を予約可能とできる、削除候補の選択対象番組だけを明示的に表現することにより、ユーザが悩まず効率的に削除候補の予約を選択できるユーザ・インタフェース画面を提供することができる。
【００２８】
このように、本実施形態によれば、録画装置が予約時に予約された番組をどのチューナで録画するかを確定しているレコーダである場合や、予約時に全チューナいずれでも重複が発生した場合などであっても、どの既存予約を削除したら効率よく新規予約を登録できるか、１つずつ削除候補を選択しながら確実かつ簡単にユーザが把握できるユーザ・インタフェース画面を提供することができる。
【００２９】
なお、上述した各実施形態は本発明の好適な実施形態であり、本発明はこれに限定されることなく、本発明の技術的思想に基づいて種々変形して実施することが可能である。
例えば、上述した実施形態では、削除する予約を削除候補として選択したが、逆に予約したい番組を選択させる方法であってもよい。その場合、予約したい番組で選択しなかった録画番組をすべて予約削除するのではなく、例えば下記のようなルールで予約削除するようにしてもよい、
・  視聴レコメンド機能と連携することにより、予約番組に優先順位をつけ、優先順位が低いものを自動的に予約を削除する。
・  チューナの空き時間が少なくなるように再スケジュールを行い、自動的に予約を削除する
【００３０】
また、録画装置として説明したが、複数の情報処理手段を備えて予約受付可能なものであればこのものに限定されず、例えば視聴予約を受け付ける再生装置など、各種の情報処理装置についても、本発明は同様に適用することができる。
【００３１】
また、上述した実施形態としての録画装置を実現するための処理手順をプログラムとして記録媒体に記録することにより、本発明の各実施形態による上述した各機能を、その記録媒体から供給されるプログラムによって、システムを構成するコンピュータのＣＰＵに処理を行わせて実現させることができる。
この場合、上記の記録媒体により、あるいはネットワークを介して外部の記録媒体から、プログラムを含む情報群を出力装置に供給される場合でも本発明は適用されるものである。
すなわち、記録媒体から読み出されたプログラムコード自体が本発明の新規な機能を実現することになり、そのプログラムコードを記憶した記録媒体および該記録媒体から読み出された信号は本発明を構成することになる。
この記録媒体としては、例えばフレキシブルディスク、ハードディスク、光ディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリーカード、ＲＯＭ等を用いてよい。
【００３２】
この本発明に係るプログラムによれば、当該プログラムによって制御される情報処理装置に、上述した各実施形態における各機能を実現させることができる。
【産業上の利用可能性】
【００３３】
以上のように、本発明は、重複予約を確認できる画面を表示するため、複数のＴＶチューナを内蔵しているハードディスクレコーダで、予約時にユーザが明示的にチューナの割り当てを行う際、予約に重複が発生しても、簡単に予約の削除候補を選択させることができるユーザ・インタフェースを提供できる。
また、本発明は、ハードディスクレコーダだけでなく、ＴＶチューナを備えたＰＣ（Personal Computer）など各種の用途に適用可能である。
【図面の簡単な説明】
【００３４】
【図１】本発明の実施形態としての録画装置の構成例を示すブロック図である。
【図２】該録画装置の動作を示すフローチャートである。
【図３】該録画装置での予約重複を説明するための図である。
【図４】該録画装置での予約重複を説明するための図である。
【図５】該録画装置の表示画面例を示す図である。
【図６】該録画装置の表示画面例を示す図である。
【図７】該録画装置の表示画面例を示す図である。
【図８】該録画装置の表示画面例を示す図である。
【図９】一般的なダブルチューナ録画装置での予約重複を説明するための図である。
【図１０】一般的なダブルチューナ録画装置での予約重複を説明するための図である。
【符号の説明】
【００３５】
１    入力部
２    画面生成部
３    入出力制御部
４    予約制御部
５    チューナ制御部
６    チューナ
７    予約情報格納部
【図１】
2009088705.tif 000003
【図２】
2009088705.tif 000004
【図３】
2009088705.tif 000005
【図４】
2009088705.tif 000006
【図５】
2009088705.tif 000007
【図６】
2009088705.tif 000008
【図７】
2009088705.tif 000009
【図８】
2009088705.tif 000010
【図９】
2009088705.tif 000011
【図１０】
2009088705.tif 000012